(57)【要約】【課題】ゴルフ場のバッグ管理場所のラックを使用したゴルフバッグ保管において、ラックに対するゴルフバッグの出し入れ等の作業を効率良く行えるようにし、人件費の削減と省力化を図ることができる錠前装置およびその装置を使った保管システムを提供する。【解決手段】預かり品ＱをラックＲに載せて保管する錠前装置であって、該装置本体１は、キー孔Ｋ１付きの錠前２と、キーＫ引き抜き用のセットバーＳと、錠前２施錠用のロックバーＬと、錠前２に挿入したキーＫの回転操作によって前記ロックバーＬの施錠および解錠を行うラッチ錠３と、前記両バーを挿入するバー挿入口４ａを備えた錠ケース４と、前記ロックバーＬに設けた預かり品Ｑ固定用の固定具５とを備えて成る。【選択図】図７
2010261191.tif 000002
【特許請求の範囲】
【請求項１】
預かり品をラックに載せて保管する錠前装置であって、該装置本体は、キー孔付きの錠前と、キー引き抜き用のセットバーと、錠前施錠用のロックバーと、錠前に挿入されたキーの回転操作によって前記ロックバーの施錠および解錠を行うラッチ錠と、前記両バーが挿入されるバー挿入口を備えた錠ケースと、前記ロックバーに設けられた預かり品固定用の固定具とを備えて成ることを特徴とする錠前装置。
【請求項２】
固定具は、固定されたチェーン取付板と、チェーン取付板に一端が連結され、他端が前記ロックバーに連結されて成るチェーンとによって構成され、当該チェーンを預かり品に掛けるようにしてロックバーを錠前のバー挿入口に挿入されるよう形成されている請求項１記載の錠前装置。
【請求項３】
ラッチ錠は、挿入されているキーの回動操作に伴って揺動可能としたカムと、バネによって施錠方向に突出付勢され、前記カムに突設された操作突起を係合させる切欠部を有し、操作突起を介して施錠方向または解錠方向にスライド可能としたラッチと、該ラッチを覆うように取り付けられ、当該ラッチのスライドをガイドさせる押さえ板と、該押さえ板に被せられた可撓性を有する押圧規制板と、前記カムの切欠部内に係合される係止突起およびラッチを施錠方向に突出させる開口部それぞれを有し、前記押圧規制板によって当該係止突起を切欠部内側に押圧付勢させて成るカムストッパーとを備えて成る請求項１または２記載の錠前装置。
【請求項４】
前記セットバーは、施錠位置にあるラッチに干渉されずにカムストッパーのみを押圧するよう先端中央に形成されたラッチ通過用の逃げ溝を介して両端にカムストッパー押圧用の押圧突起が形成されて成り、セットバーのバー挿入口への挿入によって、押圧規制板による押圧付勢力に抗してカムストッパーがセットバーによって押圧され、当該カムストッパーの係止突起を切欠部内から解除させることでラッチが前記バネによって施錠方向に付勢移動されて錠前のキー孔からのキーの引き抜きを許容するよう形成されている請求項３記載の錠前装置。
【請求項５】
前記ロックバーは、施錠位置にあるラッチと共にカムストッパーを押圧するよう先端中央にロック孔が形成されて成り、錠前のキー孔からキーを引き抜いた後に、ロックバーのバー挿入口への挿入によって、ロックバーの先端でラッチをいったん解錠方向に退避移動させ、再びラッチが前記バネによって施錠方向に付勢移動されてロック孔に係合されることでバー挿入口からのロックバーの引き抜きを阻止するよう形成されている請求項３記載の錠前装置。
【請求項６】
前記錠前のキーは、バー挿入口へ挿入されているロックバーの引き抜きが阻止されている状態において、当該ロックバーは押圧規制板による押圧付勢力に抗してカムストッパーを押圧し、カムストッパーの係止突起が切欠部内から解除された位置で、当該キーを錠前のキー孔に差し込んでカムを回動させることにより、バネに抗してラッチを解錠方向にスライド退避させ、カムストッパーの押圧規制板による押圧付勢力によってロックバーを飛出させて解錠させるよう形成されている請求項３記載の錠前装置。
【請求項７】
請求項１乃至６のいずれかに記載の錠前装置を使って預かり品としてのゴルフバッグの保管を可能としたことを特徴とする保管システム。
【発明の詳細な説明】
【技術分野】
【０００１】
本発明は、例えば、ゴルフ場におけるゴルフバッグの保管に使用される錠前装置およびその装置を使った保管システムに関する。
【背景技術】
【０００２】
従来、ゴルフ場におけるゴルフバックの出し入れのためのラックを使用した一般的な保管作業は次のようにして行われている。
すなわち、客は、早朝時間帯にゴルフ場に着くと、先ずゴルフバッグをゴルフ場の関係者であるバッグ管理人に預ける。
この管理人はバッグ管理場所に設置されているラック上にゴルフバッグを載置する。
担当するキャディは客の名前を確認した上、ラック上にある当該名前に該当した名札付きのゴルフバッグをカートに移し替える。
そして、ゴルフバッグは自動または手動カートによってゴルフプレー場に搬送され、客はゴルフプレーを行う。
【０００３】
ゴルフプレーの終了後には、キャディは客にゴルフバッグ内のゴルフクラブの本数および自己のものであることを確認させた後、客にナンバープレートを渡す。
キャディは客に渡したナンバープレートと同じナンバーのナンバープレートをゴルフバッグに結着して、バッグ管理場所に設置されているラック上に載置する。
そして、客は他の用事（例えば、着替えとかプレイ費の清算）を足す。
【０００４】
ゴルフ場から帰る際には、客は預かったナンバープレートをバッグ管理人に渡す。
バッグ管理人は、受け取ったナンバープレートと同じナンバーのナンバープレートが結着されているゴルフバッグをラック上から取り出し客に返却する。
このとき、バッグに結着されているナンバープレートはゴルフバッグから外されバッグ管理人が保管する。
【先行技術文献】
【特許文献】
【０００５】
【特許文献１】特になし
【発明の概要】
【発明が解決しようとする課題】
【０００６】
しかしながら、ゴルフ場におけるラックを使用した一般的な保管作業において、従来のようなナンバープレートの受け渡しによるゴルフバッグの出し入れ作業は、非常に面倒な手作業が伴い、且つ作業に多くの時間を要してしまうものである。しかも、これによってゴルフ場での人件費も嵩むことから、プレイ費アップの要因ともなるという問題点を有している。
【０００７】
そこで、本発明は叙上のような従来存した諸事情に鑑み案出されたもので、例えば、ゴルフ場のバッグ管理場所に設置されているラックを使用したゴルフバッグ保管において、当該ラックに対するゴルフバッグの出し入れ等の作業を効率良く行えるようにし、人件費の削減および省力化を図ることができる錠前装置およびその装置を使った保管システムを提供することを目的とする。
【課題を解決するための手段】
【０００８】
上述した課題を解決するために、本発明にあっては、預かり品ＱをラックＲに載せて保管する錠前装置であって、該装置本体１は、キー孔Ｋ１付きの錠前２と、キーＫ引き抜き用のセットバーＳと、錠前２施錠用のロックバーＬと、錠前２に挿入されたキーＫの回転操作によって前記ロックバーＬの施錠および解錠を行うラッチ錠３と、前記両バーＳ、Ｌが挿入されるバー挿入口４ａを備えた錠ケース４と、前記ロックバーＬに設けられた預かり品Ｑ固定用の固定具５とを備えて成ることを特徴とする。
【０００９】
固定具５は、固定されたチェーン取付板５ａと、チェーン取付板５ａに一端が連結され、他端が前記ロックバーＬに連結されて成るチェーン５ｂとによって構成され、当該チェーン５ｂを預かり品Ｑに掛けるようにしてロックバーＬを錠前２のバー挿入口４ａに挿入されるよう形成されている。
【００１０】
ラッチ錠３は、挿入されているキーＫの回動操作に伴って揺動可能としたカム６と、バネ７によって施錠方向に突出付勢され、前記カム６に突設された操作突起６ａを係合させる切欠部８ａを有し、操作突起６ａを介して施錠方向または解錠方向にスライド可能としたラッチ８と、該ラッチ８を覆うように取り付けられ、当該ラッチ８のスライドをガイドさせる押さえ板９と、該押さえ板９に被せられた可撓性を有する押圧規制板１０と、前記カム６の切欠部８ａ内に係合される係止突起１１ａ、およびラッチ８を施錠方向に突出させる開口部１１ｂそれぞれを有し、前記押圧規制板１０によって当該係止突起１１ａを切欠部８ａ内側に押圧付勢させて成るカムストッパー１１とを備えて成るものである。
【００１１】
前記セットバーＳは、施錠位置にあるラッチ８に干渉されずにカムストッパー１１のみを押圧するよう先端中央に形成されたラッチ８通過用の逃げ溝Ｓ１を介して両端にカムストッパー１１押圧用の押圧突起Ｓ２が形成されて成り、セットバーＳのバー挿入口４ａへの挿入によって、押圧規制板１０による押圧付勢力に抗してカムストッパー１１がセットバーＳによって押圧され、当該カムストッパー１１の係止突起１１ａを切欠部８ａ内から解除させることでラッチ８が前記バネ７によって施錠方向に付勢移動されて錠前２のキー孔Ｋ１からのキーＫの引き抜きを許容するよう成されている。
【００１２】
前記ロックバーＬは、施錠位置にあるラッチ８と共にカムストッパー１１を押圧するよう先端中央にロック孔Ｌ１が形成されて成り、錠前２のキー孔Ｋ１からキーＫを引き抜いた後に、ロックバーＬのバー挿入口４ａへの挿入によって、ロックバーＬの先端でラッチ８をいったん解錠方向に退避移動させ、再びラッチ８が前記バネ７によって施錠方向に付勢移動されてロック孔Ｌ１に係合されることでバー挿入口４ａからのロックバーＬの引き抜きを阻止するよう形成されている。
【００１３】
前記錠前２のキーＫは、バー挿入口４ａへ挿入されているロックバーＬの引き抜きが阻止されている状態において、当該ロックバーＬは押圧規制板１０による押圧付勢力に抗してカムストッパー１１を押圧し、カムストッパー１１の係止突起１１ａが切欠部８ａ内から解除された位置で、当該キーＫを錠前２のキー孔Ｋ１に差し込んでカム６を回動させることにより、バネ７に抗してラッチ８を解錠方向にスライド退避させ、カムストッパー１１の押圧規制板１０による押圧付勢力によってロックバーＬを飛出させて解錠させるよう形成されている。
【００１４】
前記錠前装置を使って預かり品Ｑとしてのゴルフバッグの保管を可能とした保管システムとすることができる。
【発明の効果】
【００１５】
本発明によれば、例えば、ゴルフ場のバッグ管理場所に設置されているラックを使用したゴルフバッグ保管において、当該ラックに対するゴルフバッグの出し入れ等の作業を効率良く行えるようにし、人件費の削減および省力化を図ることができる。
【００１６】
すなわち、預かり品をラックに載せて保管する錠前装置であって、該装置本体は、キー孔付きの錠前と、キー引き抜き用のセットバーと、錠前施錠用のロックバーと、錠前に挿入されたキーの回転操作によって前記ロックバーの施錠および解錠を行うラッチ錠と、前記両バーが挿入されるバー挿入口を備えた錠ケースと、前記ロックバーに設けられた預かり品固定用の固定具とを備えて成るので、ラックに対する預かり品（例えばゴルフバッグ等）の出し入れ作業が効率良く行えるものとなり、人件費の削減および省力化を図ることができる。
【００１７】
固定具は、固定されたチェーン取付板と、チェーン取付板に一端が連結され、他端が前記ロックバーに連結されて成るチェーンよって構成され、当該チェーンを預かり品に掛けるようにしてロックバーを錠前のバー挿入口に挿入されるので、ラックに対する預かり品（例えばゴルフバッグ等）の出し入れ作業がチェーンの掛け外しによって効率良く行える。
【００１８】
ラッチ錠は、挿入されているキーの回動操作に伴って揺動可能としたカムと、バネによって施錠方向に突出付勢され、前記カムに突設された操作突起を係合させる切欠部を有し、操作突起を介して施錠方向または解錠方向にスライド可能としたラッチと、該ラッチを覆うように取り付けられ、当該ラッチのスライドをガイドさせる押さえ板と、該押さえ板に被せられた可撓性を有する押圧規制板と、前記カムの切欠部内に係合される係止突起およびラッチを施錠方向に突出させる開口部それぞれを有し、前記押圧規制板によって当該係止突起を切欠部内側に押圧付勢させて成るカムストッパーとを備えて成るので、預かり品をラックに載せて保管しておくための錠前装置を、僅かな部品を使って簡易に且つ低コストに作製することができる。
【００１９】
前記セットバーは、施錠位置にあるラッチに干渉されずにカムストッパーのみを押圧するよう先端中央に形成されたラッチ通過用の逃げ溝を介して両端にカムストッパー押圧用の押圧突起が形成されて成り、セットバーのバー挿入口への挿入によって、押圧規制板による押圧付勢力に抗してカムストッパーがセットバーによって押圧され、当該カムストッパーの係止突起を切欠部内から解除させることでラッチが前記バネによって施錠方向に付勢移動されて錠前のキー孔からのキーの引き抜きを許容するよう形成したので、錠前のキー孔に挿入されて引き抜き阻止状態にあるキーを引き抜き許容位置（左回転方向）まで容易に回転させることができ、キーの抜き取り作業が効率化される。
【００２０】
前記ロックバーは、施錠位置にあるラッチと共にカムストッパーを押圧するよう先端中央にロック孔が形成されて成り、錠前のキー孔からキーを引き抜いた後に、ロックバーのバー挿入口への挿入によって、ロックバーの先端でラッチをいったん解錠方向に退避移動させ、再びラッチが前記バネによって施錠方向に付勢移動されてロック孔に係合されることでバー挿入口からのロックバーの引き抜きを阻止するよう形成したので、ラックに対する預かり品（例えばゴルフバッグ等）のチェーンによる固定作業が効率良く行える。
【００２１】
前記錠前のキーは、バー挿入口へ挿入されているロックバーの引き抜きが阻止されている状態において、当該ロックバーは押圧規制板による押圧付勢力に抗してカムストッパーを押圧し、カムストッパーの係止突起が切欠部内から解除された位置で、当該キー錠前２のキー孔に差し込んでカムを回動させることにより、バネに抗してラッチを解錠方向にスライド退避させ、カムストッパーの押圧規制板による押圧付勢力によってロックバーを飛出させて解錠させるよう形成したので、ラックに対する預かり品（例えばゴルフバッグ等）のチェーンによる取り外し作業が効率良く行える。
【００２２】
前記錠前装置を使って預かり品としてのゴルフバッグの保管を可能とした保管システムとしたので、ラックに対するゴルフバッグの出し入れの作業が効率良く行えるものとなり、人件費の削減および省力化を図ることができるゴルフバッグ保管システムを容易に提供することができる。
【図面の簡単な説明】
【００２３】
【図１】本発明を実施するための一形態を示すラックの斜視図である。
【図２】錠前装置の装置本体の分解斜視図である。
【図３】同じく錠ケースを外した状態の側面図である。
【図４】同じく底面図である。
【図５】同じく錠前装置の正面図である。
【図６】同じく図５のＸ−Ｘ断面図である。
【図７】同じく錠前装置の装置本体と固定具との構成使用例を示す説明図である。
【図８】図中（ａ）はセットバーの側面図、（ｂ）はロックバーの側面図、（ｃ）は錠前のキー孔にキーを差し込む状態の側面図である。
【図９】同じく錠前装置の装置本体の動作を説明するもので、（ａ）は解錠位置にある状態の説明図、（ｂ）は解錠後キー引き抜き不可位置にある状態の説明図、（ｃ）は施錠後キー引き抜き位置にある状態の説明図である。
【発明を実施するための形態】
【００２４】
以下、図面を参照して本発明の実施の一形態を詳細に説明すると、本発明に係る錠前装置は、預かり品Ｑとしてのゴルフバッグの出し入れを可能としたゴルフ場のバッグ管理場所における保管システムに使用される。
【００２５】
すなわち、図１に示すように、例えば４人のゴルフプレイ客の各ゴルフバッグを個別に収容載置するための４連棚型のラックＲがゴルフ場のバッグ管理場所に設置され、このラックＲの各棚の天板上に各ゴルフバッグを固定するための本発明に係る錠前装置を構成する装置本体１が設けられている（図示例では４個）。
【００２６】
装置本体１は、ラックＲの各棚における天板上の片側にＬ字片状の取付金具４ｂによって取り付けられ、天板上の他側には預かり品Ｑとしてのゴルフバッグを固定するための固定具５が取り付けられている（図６および図７参照）。
尚、この装置本体１の取付部位は上記した天板に限られるものではない。例えば、ラックＲの各棚における仕切板側面に取り付けることもできる。
【００２７】
そして、装置本体１は、図２、図６、図８（ｃ）に示すように、矩形筐体状の錠ケース４の中央面側に形成された開口部４ｃに、中央にキー孔Ｋ１を有する内筒と、内筒を回転可能に保持する外筒とから成るシリンダー錠等の錠前２が当該キー孔Ｋ１を前面に露出させた状態で取り付けられており、錠ケース４の前面側サイドには、後述するキーＫ引き抜き用のセットバーＳおよび錠前２施錠用のロックバーＬを挿入させるための縦向きスリット状のバー挿入口４ａを備えている。
【００２８】
一方、固定具５は、図７に示すように、Ｌ字片状のチェーン取付板５ａの一端片側が、他方の仕切側面にネジ止め固定され、該チェーン取付板５ａの他端片側にブラインドリベットＶを介して、可撓性を有する保護用のスパイラルチューブ５ｃに挿入されたチェーン５ｂの一端が連結されている。そして、チェーン５ｂの他端側には、これまたブラインドリベットＶを介してロックバーＬが連結されている。
尚、チェーン５ｂの替わりにベルトや紐等であっても良い。
【００２９】
錠ケース４の内側において、図２、図６および図７に示すように、錠前２の後端部側には矩形ケーシング状のベース部１２を設け、該ベース部１２内には、当該錠前２のキー孔Ｋ１に挿入されたキーＫの回転操作によって前記ロックバーＬの施錠および解錠を行うためのラッチ錠３が設けられている。
【００３０】
すなわち、このラッチ錠３は、図２に示すように、ベース部１２内において、錠前２の内筒後端面に突設された矩形状の突起に、略楕円形状のカム６の中央に穿設された矩形状の孔が嵌合され、キー孔Ｋ１に挿入されているキーＫの回動操作に伴って当該カム６が一体となって回動可能となるようにしてある。
また、カム６の後面端部には円柱状の操作突起６ａを突設してある。
【００３１】
このベース部１２の内側には係止用の仕切部を設け、カム６を角度が約４５°の規制範囲内で回動されるようにしてあり、図５に示すように、キー孔Ｋ１に挿入されたキーＫが垂直のキーＫ引き抜き可能位置（図９（ｃ）参照）から右方向に角度１５°まで回転されることで解錠後のキーＫ引き抜き不可位置（図９（ｂ）参照）とし、さらに角度３０°まで回転されることで解錠位置（図９（ａ）参照）としている。
【００３２】
そして、カム６の上側には、矩形板状のプラスチック製のラッチ８が配され、図３に示すように、ラッチ８の一端部には、先端部分が片側に傾斜面部となっている狭幅な側面視略三角形状のラッチ先端部が突設されている。そして、図７に示すように、このラッチ先端部の傾斜面部側が、セットバーＳおよびロックバーＬを挿入させるバー挿入口４ａに対向されている。
【００３３】
また、図２、図７、図９に示すように、ラッチ８の片側にはカム６に突設された操作突起６ａを係合させるための長溝状の切欠部８ａを形成し、この操作突起６ａを介してラッチ８を左右方向（施錠方向または解錠方向）にスライド可能となるようにしてある。このラッチ８自体は、図２に示すように、ベース部１２の一端側に配したバネ取付用突起部１２ａに取り付けられている弦巻状のバネ７によって錠ケース４から施錠方向に常時突出付勢されるようにしてある。
【００３４】
そして、図２乃至図５に示すように、ベース部１２の裏側には肉厚のある押さえ板９がラッチ８を覆うようにして取り付けられている。このときラッチ８の左右スライドをガイドさせるために、当該ラッチ８の平面部端側に突設された突起８ｂを、押さえ板９の略中央に形成した横長円形状のガイド溝９ａに係合させてある。
【００３５】
さらに、図２に示すように、押さえ板９の上には可撓性を有する薄型の押圧規制板１０が被せられ、前記押さえ板９と共にベース部１２にネジ止め固定されている。この押圧規制板１０の一端側には、左右対称な溝部１０ａ、１０ａを介して中央に舌片状となった突出部１０ｂを設けてあり、この突出部１０ｂに、略Ｌ字片状のカムストッパー１１が取り付けられている。
【００３６】
すなわち、このカムストッパー１１は、Ｌ字一端側における片側に、前記カム６の切欠部８ａ内に係合される係止突起１１ａが下方に向って突設されており、またＬ字他端側における中央には、ラッチ８を施錠方向に突出させるための略四角形状の開口部１１ｂを設けてある。
【００３７】
さらに、Ｌ字一端側において、前記開口部１１ｂと係止突起１１ａとが位置する中間に若干の段差部１１ｄを設け、この段差部１１ｄに前記押圧規制板１０の突出部１０ｂが挿入される略四角形状の挿入孔１１ｃが形成されており、この突出部１０ｂの挿入孔１１ｃ内への挿入によってカムストッパー１１の係止突起１１ａを切欠部８ａ内側に常時押圧付勢させている。このとき、前記した錠ケース４のバー挿入口４ａは、カムストッパー１１の段差部１１ｄの近傍に対向するように配置されている。
尚、図２、図６、図９に示す符号１１ｅは、カムストッパー１１の開口部１１ｂ側をベース部１２の側壁に係止させるための湾曲片状の係止部である。
【００３８】
装置本体１の使用前においては、錠前２のキー孔Ｋ１には番号付きのキーＫのみが予め挿入されており、また、バー挿入口４ａへはロックバーＬが挿入されておらず、チェーン５ｂは外されてラックＲの棚が開放された状態となるようにしてある。このとき、上記したカムストッパー１１の係止突起１１ａはラッチ８の切欠部８ａ内に係合していて、該切欠部８ａ内でのカム６の操作突起６ａの動きが規制され、キーＫ自体は引き抜き不可位置である角度１５°まで右回転した状態にある。
これによって、キーＫの回転およびラッチ８自体のスライドが阻止されている。
【００３９】
前記セットバーＳは、図８（ａ）に示すように、施錠位置にあるラッチ８に干渉されずにカムストッパー１１のみを押圧するよう先端中央に形成されたラッチ８通過用の逃げ溝Ｓ１を介して両端にカムストッパー１１押圧用の押圧突起Ｓ２が対向状態に形成されて成る。
【００４０】
そして、セットバーＳを錠前２のバー挿入口４ａへ挿入することによって、押圧規制板１０による押圧付勢力に抗してカムストッパー１１を離間させる方向に押圧し、当該カムストッパー１１の係止突起１１ａを切欠部８ａ内から解除させることでラッチ８が前記バネ７によって施錠方向に付勢移動されて錠前２のキー孔Ｋ１からのキーＫの引き抜きを許容するものとしてある（図５、図９（ｃ）参照）。
【００４１】
また、前記ロックバーＬは、図８（ｂ）に示すように、施錠位置にあるラッチ８と共にカムストッパー１１を押圧するよう先端中央にロック孔Ｌ１が形成されて成る。
【００４２】
そして、錠前２のキー孔Ｋ１からキーＫを引き抜いた後に、ロックバーＬを錠前２のバー挿入口４ａへ挿入することによって、ロックバーＬの先端でラッチ８先端の傾斜面部を押しながらラッチ８をいったん解錠方向に退避移動させ、再びラッチ８が前記バネ７によって施錠方向に付勢移動されてロック孔Ｌ１に係合され、錠前２のバー挿入口４ａからのロックバーＬの引き抜きを阻止するものとしてある。
【００４３】
このとき、ロックバーＬの先端で押圧規制板１０による押圧付勢力に抗してカムストッパー１１を離間させる方向に押圧していることから、カムストッパー１１の係止突起１１ａは切欠部８ａ内から解放された状態となる（図５、図９（ｂ）参照）。
【００４４】
さらに、錠前２のバー挿入口４ａへ挿入されているロックバーＬの引き抜きが阻止されている状態においては、当該ロックバーＬは押圧規制板１０による押圧付勢力に抗してカムストッパー１１を離間させる方向に押圧され、且つカムストッパー１１の係止突起１１ａは切欠部８ａ内から解放された位置にあることから、キーＫを錠前２のキー孔Ｋ１に差し込んでカム６を回動させることにより、バネ７に抗してラッチ８を解錠方向にスライド退避させ、カムストッパー１１の押圧規制板１０による押圧付勢力によってロックバーＬを飛出させて解錠させるものとしてある（図５、図９（ａ）参照）。
【００４５】
次に、以上のように構成された形態についての使用の一例について説明する。
尚、使用前においては、錠前２のキー孔Ｋ１には番号付きのキーＫのみが予め挿入されており、また、バー挿入口４ａへはロックバーＬが挿入されておらず、チェーン５ｂは外されてラックＲの棚が開放されている。
【００４６】
このとき、キーＫの紛失を防ぐため、当該キーＫ自体は引き抜き不可位置である角度１５°まで右回転した状態にある。また、カムストッパー１１の係止突起１１ａはラッチ８の切欠部８ａ内に係合し、該切欠部８ａ内でのカム６の操作突起６ａの動きを規制しており、これによって、キーＫの回転およびラッチ８自体のスライドを阻止している。
【００４７】
先ず最初に、セットバーＳを錠前２のバー挿入口４ａへ差し込むことで、錠前２のキー孔Ｋ１に挿入されて引き抜き阻止状態にある番号付きのキーＫを引き抜き許容位置である垂直位置まで回転移動させる。
【００４８】
すなわち、セットバーＳを錠前２のバー挿入口４ａへ挿入することによって、可撓性を有する押圧規制板１０による押圧付勢力に抗してカムストッパー１１を押圧し、当該カムストッパー１１の係止突起１１ａを切欠部８ａ内から解放させることでラッチ８が前記バネ７によって施錠方向（突出方向）に付勢移動され、キーＫは垂直位置まで左回転される。これにより、錠前２のキー孔Ｋ１からのキーＫの引き抜きが可能となる。このときの作業は客またはゴルフ場関係者のどちらでも良い。そして、錠前２のキー孔Ｋ１からキーＫを引き抜き、担当のキャディに渡す。
【００４９】
ゴルフプレイの終了後、キャディは預かり品Ｑとしてのゴルフバッグに入っているクラブの本数や自己のものであること等を確認してから、プレー客に番号付きのキーＫを渡す。また、キャディは預かり品Ｑとしてのゴルフバッグを、前記番号付きのキーＫと同じキーＫ番号の付いたラックＲへ置き、チェーン５ｂを掛け錠前２のバー挿入口４ａへチェーン５ｂ一端に取り付けられたロックバーＬを差し込む。
【００５０】
すなわち、ロックバーＬを錠前２のバー挿入口４ａへ挿入することによって、ロックバーＬの先端でラッチ８の傾斜面部を押しながらラッチ８をいったん解錠方向に退避移動させ再びラッチ８が前記バネ７によって施錠方向に付勢移動されてロック孔Ｌ１に係合されることで錠前２のバー挿入口４ａからのロックバーＬの引き抜きが阻止される（図９（ｃ）参照）。
【００５１】
このとき、ロックバーＬの先端で押圧規制板１０による押圧付勢力に抗してカムストッパー１１を離間させる方向に押圧していることから、カムストッパー１１の係止突起１１ａは切欠部８ａ内から解放された状態となっている。
これによって、錠前２は施錠され、預かり品ＱとしてのゴルフバッグはラックＲに固定され保管される。
【００５２】
プレー客は、プレイ代金の精算後、預かっている番号付きのキーＫを指定の番号の錠前２のキー孔Ｋ１に差し込んで、引き抜き不可位置である右１５°の角度位置からさらに解錠位置である右３０°の角度位置まで手動により回転させる（図５参照）。
【００５３】
すなわち、錠前２のバー挿入口４ａへ挿入されているロックバーＬの引き抜きが阻止されている状態においては、当該ロックバーＬは押圧規制板１０による押圧付勢力に抗してカムストッパー１１をカム６から離間させる方向に押圧しており、カムストッパー１１の係止突起１１ａは切欠部８ａ内から解放された位置にある（図９（ｂ）参照）。
【００５４】
そして、この状態において当該キーＫを錠前２のキー孔Ｋ１に差し込んでカム６を角度３０°まで右回動させることにより、バネ７に抗してラッチ８を解錠方向にスライド退避させ、カムストッパー１１の押圧規制板１０による押圧付勢力によってロックバーＬがバー挿入口４ａから飛出して解錠される（図９（ａ）参照）。これによってチェーン５ｂが外れて預かり品Ｑとしてのゴルフバッグの取り出しが可能となる。このとき、番号付きのキーＫは再び引き抜き阻止位置で保持される。
尚、本例においては、ラックＲへ保管される預かり品Ｑとしてゴルフバッグを採用しているが、この他、バッグ以外の種々の物品を保管するものであっても良いことは勿論である。
【符号の説明】
【００５５】
Ｑ      預かり品
Ｒ      ラック
Ｋ      キー
Ｋ１    キー孔
Ｌ      ロックバー
Ｌ１    ロック孔
Ｓ      セットバー
Ｓ１    逃げ溝
Ｓ２    押圧突起
Ｖ      ブラインドリベット
１      装置本体
２      錠前
３      ラッチ錠
４      錠ケース
４ａ    バー挿入口
４ｂ    取付金具
４ｃ    開口部
５      固定具
５ａ    チェーン取付板
５ｂ    チェーン
５ｃ    スパイラルチューブ
６      カム
６ａ    操作突起
７      バネ
８      ラッチ
８ａ    切欠部
８ｂ    突起
９      押さえ板
９ａ    ガイド溝
１０    押圧規制板
１０ａ  溝部
１０ｂ  突出部
１１    カムストッパー
１１ａ  係止突起
１１ｂ  開口部
１１ｃ  挿入孔
１１ｄ  段差部
１１ｅ  係止部
１２    ベース部
１２ａ  バネ取付用突起部
【図１】
2010261191.tif 000003
【図２】
2010261191.tif 000004
【図３】
2010261191.tif 000005
【図４】
2010261191.tif 000006
【図５】
2010261191.tif 000007
【図６】
2010261191.tif 000008
【図７】
2010261191.tif 000009
【図８】
2010261191.tif 000010
【図９】
2010261191.tif 000011